(57)【要約】【課題】手前に引き出した際に使用者の脚部等へ当たることなく丁度よい高さでの使用を可能とする。【解決手段】  サイドレール１０に沿って走行する走行部材１２にテーブル２０の上部２１が支持されている。従って、収納時におけるテーブル２０の下部を手前に引き出して下方から上方へ回動させると、その回転中心が、サイドレール１０に沿って下方に移動してくる。収納時におけるテーブル２０の上部２１の位置が従来よりも高い位置であっても、使用状態の略水平姿勢の高さを丁度よい高さとすることができると共に、テーブル２０の下部を下方から上方に回動させた際に、使用者の脚部に接触したりすることを防ぐことができる。【選択図】  図１
2013224049.tif 000002
【特許請求の範囲】
【請求項１】
着座者の前方に位置するテーブル取り付け面に、互いに幅方向に所定間隔をおいて、幅方向に略直交する方向に沿って取り付けられる一対のサイドレールと、
前記各サイドレールのレール溝に沿って走行可能に配置される一対の走行部材と、
前記各走行部材に、各側部の上部が連結されるテーブルと、
前記各サイドレールの下部付近に一端が軸支され、他端が前記テーブルの側部の中途部に軸支され、前記一端を中心として回動するアームと、
前記テーブルの上部及び前記各走行部材を前記各サイドレールのレール溝に沿って上方に付勢する弾性部材と
を有してなり、
前記テーブルは、側面視で前記サイドレールに沿った状態が収納姿勢であり、
使用時において、前記弾性部材の付勢力に抗して前記テーブルの下部が手前に引き出されると、前記アームが手前に回動しながら、前記各レール溝に沿って前記各走行部材及び前記テーブルの上部が下方に移動し、前記テーブルが略水平姿勢となる位置で前記各走行部材が前記レール溝内でロックされる構造であることを特徴とするテーブル装置。
【請求項２】
前記テーブル取り付け面が、前後に傾動しない面であって、前記着座者の前方に配置された壁面又は前席のシートバック部の背面である請求項１記載のテーブル装置。
【請求項３】
前記弾性部材は、前記アームの他端に前記テーブルを軸支する支軸部材回りに装着されたコイルスプリングである請求項１又は２記載のテーブル装置。
【請求項４】
前記各サイドレールのレール溝は、ガイド溝部と、前記ガイド溝部に平行に設けられる所定幅の走行部と、前記レール溝の下部において前記走行部よりも幅広で、前記走行部との間に段差部を有する方向転換部とを有してなり、
前記走行部材は、
前記ガイド溝部を走行するガイド部材と、
前記ガイド部材に対して回転自由に支持され、周縁に切り欠き溝を備え、幅細部が前記レール溝の走行部の溝幅内に収まる寸法で、幅広部が前記走行部の溝幅を超える寸法で形成された略長方形の板状部材からなる係合片と
を有してなり、
前記係合片が前記走行部を走行中は、前記係合片の幅細部が前記走行部に沿う姿勢となり、前記方向転換部に至ると回転し、前記切り欠き溝が前記段差部に係合してロック状態となり、前記切り欠き溝と前記段差部との係合が解除されると、再び前記幅細部が前記走行部に沿う姿勢となる請求項１〜３のいずれか１に記載のテーブル装置。
【請求項５】
前記ガイド部材は、ローラ又は摺動子からなり、該ローラ又は摺動子と前記係合片との間に、相互の位置関係を規制する弾性部材が配設されている請求項４記載のテーブル装置。
【請求項６】
前記各サイドレールは、上部と下部との間の中途部における１箇所において、前記テーブル取り付け面にねじ止めされ、
前記各サイドレールの上部を外方に押圧する力が付与されると、各サイドレールの上部がねじ止めされている位置を中心として外方に回動し、各サイドレールの上部を内方に押圧する外力が付与されると、各サイドレールの上部がねじ止めされている位置を中心として内方に回動する構成である請求項１〜５のいずれか１に記載のテーブル装置。
【請求項７】
前記各サイドレールの上部に、前記テーブルの収納時において、前記テーブルの上部を前記テーブル取り付け面から離間する方向に押圧し、前記走行部材の下方への移動を規制する押圧部材が設けられている請求項１〜６のいずれか１に記載のテーブル装置。
【請求項８】
前記押圧部材は、前記各サイドレールの上部において前記テーブル取り付け面側から突出する板バネからなる請求項７記載のテーブル装置。
【請求項９】
前記各サイドレールのレール溝に沿って前記走行部材を介して移動することにより収納姿勢及び略水平姿勢となる前記テーブルは、前記テーブル取り付け面との間に間隙が形成される位置に設けられており、前記テーブルよりもテーブル取り付け面側に、物品収容ポケットを形成する物品支持部材が設けられている請求項１〜８のいずれか１に記載のテーブル装置。
【請求項１０】
前記物品支持部材は、前記各サイドレール間に掛け渡された帯状部材を備えてなる請求項９記載のテーブル装置。
【請求項１１】
前記帯状部材は、上縁部の幅方向略中央部が手前側に膨出しており、前記テーブルが収納姿勢となるように動作する際に、前記テーブルの上縁部が前記帯状部材の表面に接して摩擦力により前記動作が緩衝される請求項１０記載のテーブル装置。
【請求項１２】
前記帯状部材は、下縁部が略直線状となるように設けられている請求項１１記載のテーブル装置。
【請求項１３】
前記シートが乗物のフロアに所定間隔ごとに設けられる乗物用シートである請求項１〜１２のいずれか１に記載のテーブル装置。
【請求項１４】
請求項１〜１３のいずれか１に記載のテーブル装置がシートバック部に取り付けられているシート。
【発明の詳細な説明】
【技術分野】
【０００１】
本発明は、前後に複数配置されるシートに着座する着座者が使用するテーブル装置及び該テーブル装置を備えたシートに関し、特に、航空機、列車、船舶、バスなど乗物用シートのシートバック部や壁面に取り付けられるテーブル装置及び該テーブル装置を備えたシートに関する。
【背景技術】
【０００２】
例えば、航空機の客室に設置されるシートは、特許文献１及び２に示されているように、機体の長手方向に沿って所定間隔毎に複数設置されている。このような乗物用のシートには、シートバック部にテーブルが設けられているものが多い。後席のシートに着座した乗客は、前席のシートのシートバック部に支持されたテーブルを使用し、飲料等の載置台として利用する。
【０００３】
特許文献１及び２に示されたテーブル構造は、基本的には、図１３（ａ）に示したものと同様であり、シートバック部２００の側部にアーム２１０の一端を軸支し、他端をテーブル２２０の基端部に軸支して、後席着座者が、使用時に、テーブル２２０の先端２２０ａ側を把持して手前に回動させて略水平にして使用する。収納する際には、テーブル２２０を上方に回動させ、前席のシートバック部に押しつけるようにし、特許文献２に示されているように、テーブル２２０の先端をシートバック部２００に設けたストッパにより固定する。ストッパは、通常回転式となっており、ストッパの把持部を把持して回転させると、テーブル２２０の先端に係合片が係合し、所定位置に固定される。
【０００４】
また、図１３（ｂ）に示したように、テーブル２２０の上縁部２２０ｂを中心として、下縁部２２０ｂが下から略水平位置に至るまで回動するタイプのものもある。
【先行技術文献】
【特許文献】
【０００５】
【特許文献１】特開２０１０−９９５号公報
【特許文献２】特開平６−３０５４９４号公報
【発明の概要】
【発明が解決しようとする課題】
【０００６】
図１３（ａ）に示したような上方から下方へ回動して使用するものの場合、収納時において前席のシートバック部２００にテーブル２２０を押しつけながら上記したストッパを回転させて固定する。特に近年、燃費向上等の観点からシートの軽量化が図られているため、シートバック部２００も薄型になっており、シートバック部２００を押圧すると、前席に着座している者がそれを背に感じ不快感を与える。
【０００７】
図１３（ｂ）に示した下方から上方へ回動するタイプのものは、上記のような不快感を与えることはないが、テーブルの上縁を中心に回動するため、使用時（略水平姿勢の時）に丁度よい高さに設定すると、下方から上方に回動する際に使用者の脚部に接することがある。しかし、この脚部への接触を避けるために上縁部の位置をシートバック部において高く設定すると、使用時のテーブル位置が高くなりすぎる。この点は、乗物の最前列等において、着座者前方の壁面にテーブルが設けられている場合でも同様である。
【０００８】
本発明は上記に鑑みなされたものであり、収納時におけるテーブルの下縁が前方にせり出して下方から上方へ回動するタイプでありながら、手前に引き出した際に使用者の脚部等へ当たることなく丁度よい高さでの使用を可能とすると共に、着座者の前方に前席のシートバック部が存在する場合には、収納時において前席のシートバック部に強く押しつける必要のないテーブル装置及び該テーブル装置を備えたシートを提供することを課題とする。
【課題を解決するための手段】
【０００９】
上記課題を解決するため、本発明のテーブル装置は、着座者の前方に位置するテーブル取り付け面に、互いに幅方向に所定間隔をおいて、幅方向に略直交する方向に沿って取り付けられる一対のサイドレールと、前記各サイドレールのレール溝に沿って走行可能に配置される一対の走行部材と、前記各走行部材に、各側部の上部が連結されるテーブルと、前記各サイドレールの下部付近に一端が軸支され、他端が前記テーブルの側部の中途部に軸支され、前記一端を中心として回動するアームと、前記テーブルの上部及び前記各走行部材を前記各サイドレールのレール溝に沿って上方に付勢する弾性部材とを有してなり、前記テーブルは、側面視で前記サイドレールに沿った状態が収納姿勢であり、使用時において、前記弾性部材の付勢力に抗して前記テーブルの下部が手前に引き出されると、前記アームが手前に回動しながら、前記各レール溝に沿って前記各走行部材及び前記テーブルの上部が下方に移動し、前記テーブルが略水平姿勢となる位置で前記各走行部材が前記レール溝内でロックされる構造であることを特徴とする。
【００１０】
前記テーブル取り付け面が、前後に傾動しない面であって、前記着座者の前方に配置された壁面又は前席のシートバック部の背面に本発明のテーブル装置は取り付けられる。前記弾性部材は、前記アームの他端に前記テーブルを軸支する支軸部材回りに装着されたコイルスプリングであることが好ましい。前記各サイドレールのレール溝は、ガイド溝部と、前記ガイド溝部に平行に設けられる所定幅の走行部と、前記レール溝の下部において前記走行部よりも幅広で、前記走行部との間に段差部を有する方向転換部とを有してなり、前記走行部材は、前記ガイド溝部を走行するガイド部材と、前記ガイド部材に対して回転自由に支持され、周縁に切り欠き溝を備え、幅細部が前記レール溝の走行部の溝幅内に収まる寸法で、幅広部が前記走行部の溝幅を超える寸法で形成された略長方形の板状部材からなる係合片とを有してなり、前記係合片が前記走行部を走行中は、前記係合片の幅細部が前記走行部に沿う姿勢となり、前記方向転換部に至ると回転し、前記切り欠き溝が前記段差部に係合してロック状態となり、前記切り欠き溝と前記段差部との係合が解除されると、再び前記幅細部が前記走行部に沿う姿勢となることが好ましい。前記ガイド部材は、ローラ又は摺動子からなり、該ローラ又は摺動子と前記係合片との間に、相互の位置関係を規制する弾性部材が配設されていることが好ましい。
【００１１】
前記各サイドレールは、上部と下部との間の中途部における１箇所において、前記テーブル取り付け面にねじ止めされ、前記各サイドレールの上部を外方に押圧する力が付与されると、各サイドレールの上部がねじ止めされている位置を中心として外方に回動し、各サイドレールの上部を内方に押圧する外力が付与されると、各サイドレールの上部がねじ止めされている位置を中心として内方に回動する構成であることが好ましい。前記各サイドレールの上部に、前記テーブルの収納時において、前記テーブルの上部を前記テーブル取り付け面から離間する方向に押圧し、前記走行部材の下方への移動を規制する押圧部材が設けられていることが好ましい。前記押圧部材は、前記各サイドレールの上部において前記テーブル取り付け面側から突出する板バネからなることが好ましい。
【００１２】
前記各サイドレールのレール溝に沿って前記走行部材を介して移動することにより収納姿勢及び略水平姿勢となる前記テーブルは、前記テーブル取り付け面との間に間隙が形成される位置に設けられており、前記テーブルよりもテーブル取り付け面側に、物品収容ポケットを形成する物品支持部材が設けられていることが好ましい。前記物品支持部材は、前記各サイドレール間に掛け渡された帯状部材を備えてなることが好ましい。前記帯状部材は、上縁部の幅方向略中央部が手前側に膨出しており、前記テーブルが収納姿勢となるように動作する際に、前記テーブルの上縁部が前記帯状部材の表面に接して摩擦力により前記動作が緩衝される構成であることが好ましい。前記帯状部材は、下縁部が略直線状となるように設けられていることが好ましい。本発明のテーブル装置は、乗物のフロアに所定間隔ごとに設けられる乗物用シートに適用されることが好ましい。
【００１３】
また、本発明のシートは、上記いずれかのテーブル装置がシートバック部に取り付けられていることを特徴とする。
【発明の効果】
【００１４】
本発明のテーブル装置は、サイドレールに沿って走行する走行部材にテーブルの上部が支持されている。従って、収納時におけるテーブルの下部を手前に引き出して下方から上方へ回動させると、その回転中心が、サイドレールに沿って下方に移動してくる。このため、収納時におけるテーブルの上部の位置が従来よりも高い位置であっても、使用状態の略水平姿勢の高さを丁度よい高さとすることができると共に、テーブルの下部を下方から上方に回動させた際に、使用者の脚部に接触したりすることを防ぐことができる。
【００１５】
また、レール溝が走行部と該走行部よりも幅広の方向転換部とを有し、走行部材の係合片の切り欠き溝が走行部と方向転換部の段差部に係合する構成であると共に、係合片の幅広部が段差部に接することで回転して係合が解除される構成である。これにより、テーブルの略水平姿勢におけるロックと、その状態から収納位置への復帰動作とを極めて容易に行うことができる。
【００１６】
また、サイドレールが１箇所においてシートバック部や壁面などのテーブル取り付け面にねじ止めされたものである。このため、航空機等の乗物が衝撃を受け、テーブルの使用者である後席着座者に前方への大きな加速度がかかった場合、頭部がテーブルあるいはサイドレールの上部に接触する。この際、サイドレールは、この衝撃を受け、ねじ止め位置を中心として上端側が外方に回動するため、人体に及ぶ衝撃を緩和することになる。一方、乗客の頭部が、衝撃により、隣の席の前席のシートバック部に取り付けられたサイドレールの上部に接触した場合、そのサイドレールは、ねじ止め位置を中心として上端側が内方に回動し、相対的に下端側が外方に回動するため、その場合も人体の受ける衝撃を緩和することになる。
【００１７】
また、各サイドレールの上部に、テーブルの収納時において、テーブルの上部をシートバック部から離間する方向に押圧する板バネ等の押圧部材を設けた構成とすることにより、走行部材の下方への移動を規制することができる。これにより、収納時におけるテーブルの下部の前後のばたつきが抑制される。また、乗客の頭部が衝撃により収納時におけるテーブルの上部に当接した場合、この押圧部材によってその力を弾性的に受けながらテーブルの上部が下方に移動することになり、衝撃を緩和することができる。
【００１８】
従来、後部着座者がこのような場合に受ける衝撃の緩和は、シートバック部の前後動によって担われていたが、本発明によれば、サイドレールの動き、テーブルの動き、さらには押圧部材による弾性力によって、後部着座者が受ける衝撃を緩和できる構成であるため、省スペース化や後席着座者の脚部スペースを確保するためにシートバック部が前後動しない固定式としたシートに特に有効である。
【００１９】
また、テーブルを、シートバック部や壁面等のテーブル取り付け面との間で間隙が形成される位置に設けることにより、テーブルの内側に、物品収容ポケットを形成する物品支持部材を設けることができる。従来、物品収容ポケットは、テーブルの下方に設けられているため、着座者の足置きスペースが制限されていたが、本発明によれば、テーブルとテーブル取り付け面との間隙を有効に利用できるため、従来よりも足置きスペースが広がる。また、テーブルが収納動作する際に、この物品支持部材の表面に接する構成とすることにより、摩擦力により収納動作が緩和され、手指の挟み込みが抑制される。
【図面の簡単な説明】
【００２０】
【図１】図１は、本発明の一の実施形態に係るテーブル装置を備えたシートを正面側から見た斜視図である。
【図２】図２は、図１のシートを背面側から見た斜視図である。
【図３】図３は、上記実施形態に係るテーブル装置を示した斜視図であり、（ａ）はテーブルの収納時の状態（収納姿勢）を示し、（ｂ）はテーブルの使用時の状態（略水平姿勢）を示した図である。
【図４】図４は、上記実施形態に係るテーブル装置を示した平面図であり、（ａ）はテーブルの収納時の状態（収納姿勢）を示し、（ｂ）はテーブルの使用時の状態（略水平姿勢）を示した図である。
【図５】図５は、上記実施形態に係るテーブル装置とバックフレームとの取り付け関係を示した分解斜視図である。
【図６】図６（ａ）は、上記実施形態の走行部材を説明するためのずであり、図６（ｂ）は図６（ａ）のＡ−Ａ線断面図である。
【図７】図７（ａ）は、上記実施形態に係るテーブルにおける押圧部材を説明するための図であり、図７（ｂ）は図７（ａ）の要部拡大図である。
【図８】図８は、上記実施形態に係るテーブルの収納姿勢と使用時の略水平姿勢との間の動きの変化を示した図である。
【図９】図９（ａ）〜（ｆ）は、走行部材の動作を説明するための図である。
【図１０】図１０（ａ）〜（ｃ）は、サイドレールの衝撃緩和作用を説明するための図である。
【図１１】図１１（ａ）は、押圧部材とテーブル上部の突出縁部との動きの関係を示した図であり、図１１（ｂ）は押圧部材及びテーブルの動きによる衝撃緩和作用を説明するための図である。
【図１２】図１２は、テーブルが収納方向への変動する際の物品支持部材（帯状部材）の作用を説明するための図である。
【図１３】図１３（ａ），（ｂ）は従来の乗物シートにおけるテーブル装置を説明するための図である。
【発明を実施するための形態】
【００２１】
以下、図面に示した実施形態に基づき、本発明をさらに詳細に説明する。図１は、本発明の一の実施形態に係るテーブル装置１を備えたシート（航空機の客室用座席）１００を示した正面側から見た斜視図であり、図２は、図１のシートを背面側から見た斜視図である。このシート１００は隣接して２つの座席（窓側座席及び通路側座席）を備えている。これらに示したように、本実施形態のテーブル装置１は、シート１００の窓側座席及び通路側座席の各シートバック部１１０の背面に取り付けられる。なお、この点は、乗物の最前列の座席等において、着座者前方の壁面にテーブルが設けられている場合でも同様である。テーブル装置１が設けられる部位としては、前席のシートバック部１１０の背面及び上記の壁面が挙げられるが、本実施形態では、シートバック部１１０の背面に取り付けた場合を例にとり説明する。但し、本実施形態のテーブル装置１は、サイドレール１０，１０をテーブル取り付け面に固定するものであるため、使用時におけるテーブル２０のテーブル取り付け面に対する角度は一定である。従って、テーブル取り付け面としては、前後に角度が変動しない壁面、あるいは、シートバック部１１０の場合には、シートバック部１１０がリクライニングしないものがテーブル装置１の取り付け対象となる。
【００２２】
テーブル装置１は、一対のサイドレール１０，１０、テーブル２０、一対のアーム３０，３０を有して構成される。サイドレール１０，１０は、テーブル２０の幅に対応する間隔をおいてシートバック部１１０の背面に、幅方向に略直交する方向に沿って取り付けられる。
【００２３】
サイドレール１０，１０は、それぞれ、シートバック部１１０との取り付け面１０ａから反対面１０ｂ側に所定の距離ｘ１離間した位置に、縦方向に形成されたレール溝１１を有している（図６、図９（ａ）参照）。レール溝１１は、図５、図６、図９及び図１０に示したように、ガイド溝部１１ｇと、ガイド溝部１１ｇよりもテーブル２０の側面寄りに形成された走行部１１ａとを有している。このうち走行部１１ａの下方付近は、走行部１１ａよりも幅の広い方向転換部１１ｂが形成されている。方向転換部１１ｂは、走行部１１ａよりもシートバック部１１０との取り付け面１０ａ寄りに深くなるように切り欠かれており、走行部１１ａと方向転換部１１ｂとの間に段差部１１ｃが形成されている。また、段差部１１ｃに対向する溝内面は、外方に膨出した膨出面１１ｆが形成されている。
【００２４】
レール溝１１内は、走行部材１２が走行する。走行部材１２は、図５及び図６に示したように、レール溝１１内の奥側に設けたガイド溝部１１ｇを走行するガイド部材としてのローラ１２１と、ローラ１２１に、該ローラ１２１を中心として回転自由に支持され、走行部１１ａを走行する係合片１２２とを有してなる。ローラ１２１と係合片１２２には、後述のテーブル２０の上部２１に設けた突出軸２１ａが挿通され、回転自由に支持される。なお、ローラ１２１と係合片１２２との間には、レール溝１１内における両者間の位置決めを行う弾性部材としてのコイルスプリング１２３が設けられている。本実施形態では、ガイド溝部１１ｇをローラ１２１が走行するように設けているが、ガイド部材としてはローラ１２１ではなくガイド溝部１１ｇをスライドして走行する摺動子としてもよい。係合片１２２は、略長方形の板状部材からなり、幅細部が走行部１１ａの溝幅内に収まる寸法で、幅広部が走行部１１ａの溝幅を超える寸法で形成されている。そして、周縁には切り欠き溝１２２ａが形成されている。本実施形態では、この切り欠き溝１２２ａは、幅広部両側に位置する２つの短辺に、中央部が最も深くなる略三角形状に形成されている。
【００２５】
走行部材１２は、係合片１２２ａが走行部１１ａ内を走行中は、係合片１２２の幅細部両側の２つの長辺１２２ｂが該走行部１１ａに沿った姿勢となっており（図９（ａ）参照）、走行部１１ａから離脱して方向転換部１１ｂに至ると、その姿勢が変化する構成である（図９（ｂ）〜（ｆ）参照）。すなわち、走行部材１２が、走行部１１ａを走行している状態から方向転換部１１ｂに至ると、両側の規制がなくなるため、係合片１２２は回動可能となり、方向転換部１１ｂの底部に設けたストッパ１１ｄに接触する。ストッパ１１ｄは、図９に示したように、断面山形になっており、その頂部が上記した段差部１１ｄと略対向するように、該段差部１１ｃの斜め下前方に設けられている。また、ストッパ１１ｄの頂部を通過する仮想水平面と段差部１１ｃの角部との間の垂直距離ｙ１は、係合片１２２の長辺１２２ｂの長さｙ２よりも若干短い距離となっている。走行部材１２は、走行部１１ａを下方に移動してきて、膨出面１１ｆに至ると、段差部１１ｃに至るまでは、係合片１２２の片側（図９（ａ）の右側）の長辺１２２ｂのみが走行部１１ａの内側に接しながら下方に移動する。すると、下側の切り欠き溝１２２ａの図９（ｂ）の左側の傾斜面がストッパ１１ｄの頂部左側の斜面に当接する。それにより、図９（ｂ）に示したように、係合片１２２はストッパ１１ｄの傾斜形状に沿って、若干右側に傾いた姿勢となる。
【００２６】
走行部材１２は、後述のように、テーブル２０を常に収納姿勢となるように付勢する弾性部材、すなわち、走行部材１２を常に上方に移動させる方向に付勢する弾性部材により、ストッパ１１ｄに当接した後、上方に戻ろうとする。このとき係合片１２は、図の斜め右方に傾いているため、その状態で上方に移動すると、図９（ｃ）に示したように、上側に位置する切り欠き溝１２２ａが段差部１１ｃに引っかかる。段差部１１ｃに引っかかると、上側に位置する切り欠き溝１２２ａの図の左側の傾斜面が段差部１１ｃを正面側から押圧する。これにより、係合片１２２は回動不能となり、ロックがなされテーブル２０の位置が固定される。
【００２７】
この状態で、テーブル２０の手前側を上方に持ち上げると、走行部材１２の係合片１２２は、図９（ｄ）のように方向転換部１１ｂ内へと下方に移動する。その後、図９（ｅ）に示したように、走行部材１２は、方向転換部１１ｂ内から走行部１１ａ内へと移動しようとするが、その際には係合片１２２の長辺１２２ｂが段差部１１ｃに当接して回転し、再び幅細部両側の２つの長辺１２２ｂが走行部１１ａに沿った姿勢となり、該走行部１１ａ内を上方に移動していく。
【００２８】
サイドレール１０，１０は、シートバック部１１０の上下方向（縦方向）に沿って互いに幅方向に所定間隔をおいて設けられるが、サイドレール１０，１０は、それぞれ、その上部と下部との間の中途部、本実施形態では、上部と下部との間の中央位置よりも下端寄りにねじ１０ｃを用いてシートバック部１１０のバックフレーム１１１にねじ止めされる（図５参照）。また、ねじ１０ｃの上方では、縦方向に所定間隔をおいて係合突起１０ｄ，１０ｅが突設されており（図１１参照）、この係合突起１０ｄ，１０ｅがバックフレーム１１１の被係合部１１１ａ，１１１ｂに係合される（図５参照）。
【００２９】
また、図５に示したように、サイドレール１０，１０の下部間に位置するように、下部フレーム１３がシートバック部１１０に固定される。サイドレール１０，１０は、下部に係合孔１０ｆを備えており、下部フレーム１３には、幅方向に貫通するシャフト１４が挿通されている。そして、シャフト１４の各端部が上記係合孔１０ｆに挿通されることにより、該シャフト１４を介して下部フレーム１３とサイドレール１０，１０が係合される。もちろん、下部フレーム１３の各端部とサイドレール１０，１０の各下部とをシャフトを用いずに直接係合させることも可能である。
【００３０】
サイドレール１０，１０の下部付近に位置する、シャフト１４の各端部における係合孔１０ｆに挿通されずに露出している端部付近１４ａ，１４ｂ（図１０参照）には、アーム３０，３０の一端３０ａ，３０ａが軸支される。
【００３１】
テーブル２０は、平面視で略長方形に形成されると共に、使用時において手前側は、各角部にアールがつけられた形状となっている。テーブル２０の各側部の上部２１（収納姿勢において上部となっている部位であり、使用時の略水平姿勢では使用者から見て奥側に位置する端部すなわち前席のシートバック部寄りの端部である）にはそれぞれ外方に突出する突出軸２１ａが設けられており、この突出軸２１ａが走行部材１２のローラ１２１及び係合片１２２の中央に形成した貫通孔に挿通されて支持される。
【００３２】
テーブル２０の側部の中途部（使用時の略水平姿勢における奥行き方向略中央部）には、アーム３０，３０の他端３０ｂ，３０ｂが軸支される。具体的には、テーブル２０の裏面（使用面の反対面）側に支軸部材３１を幅方向に挿通し、この支軸部材３１の各端部にアーム３０，３０の他端３０ｂ，３０ｂを軸支している。支軸部材３１回りには、弾性部材としてのコイルスプリング３２が設けられており、このコイルスプリング３２により、テーブル２０は、該テーブル２０が収納姿勢となる方向、すなわち、テーブル２０の上部２１をレール溝１１に沿って上昇させる方向（アーム３０，３０をサイドレール１０，１０に接近させる方向）に付勢している。
【００３３】
また、サイドレール１０，１０の上部には、押圧部材１５が設けられている。この押圧部材１５は、図７に示したように、下端部１５ａが固定され、上端部１５ｂが前方に突出するように配置された板バネから構成される。テーブル２０の収納姿勢において、テーブル２０の上部２１には上方に突出する突出縁部２１ｂが設けられており、この突出縁部２１ｂが押圧部材１５の上端部１５ｂに当接するようになっている。突出縁部２１ｂが押圧部材１５の上端部１５ｂに当接すると、押圧部材１５の弾性力により、突出縁部２１ｂがシートバック部１１０から離間する方向（図７の矢印Ｃ方向）に向かって押圧されることになり、収納姿勢において、乗物の揺れ等により、テーブル２０の下部がばたついても、該テーブル２０が略水平姿勢となる方向に開いてしまうこと、すなわち、走行部材１２がレール溝１１に沿って下方に移動してしまうことを防止する。なお、突出縁部２１ｂは、押圧部材１５の上端部１５ｂにより図７の矢印Ｃ方向に押圧されているが、反対面側はサイドレール１０に設けた突片１０ｈに当接し、その位置が保持されている。
【００３４】
上記したように、サイドレール１０，１０は、それぞれ、シートバック部１１０との取り付け面１０ａから反対面１０ｂ側に所定の距離ｘ１離間した位置に、レール溝１１が形成されている。従って、収納姿勢では、テーブル２０は、このレール溝１１に沿った位置に配置されており、テーブル２０の裏面とシートバック部１１０との間には距離ｘ１に相当する以上の間隙ｘ２（図４（ａ）に示したように、距離ｘ２は、テーブル２０の厚さが薄いため、距離ｘ１以上の間隙となる）が形成されている。また、テーブル２０は、上部２１に走行部材１２が連結されてレール溝１１に沿って移動するため、移動中も、テーブル２０の上縁部２２とシートバック部１１０との間には距離ｘ２の間隙が存在する。略水平姿勢の使用時においても、上縁部２２とシートバック部１１０との間には距離ｘ２に相当する間隙が存在する。
【００３５】
そこで、本実施形態では、この間隙を図３及び図４に示したように物品収容ポケットとして利用している。すなわち、サイドレール１０，１０における取り付け面１０ａ，１０ａ寄りの部位間に、物品支持部材としての帯状部材４０を掛け渡し、この帯状部材４０の内側を物品収容ポケットとして利用したものである。
【００３６】
帯状部材４０は、所定幅の布帛が用いられるが、図４及び図１２に示したように、上縁部４１には、ゴム部材４１ａを包むようにして配設されている。このとき、上縁部４１は、幅方向略中央部が手前側（使用者側）に膨出するようにゴム部材４１ａとして、一対のサイドレール１０，１０間の間隔よりも長いものが使用される。また、下縁部４２にもゴム部材４２ａが包むようにして配設されるが、このゴム部材４２ａは、一対のサイドレール１０，１０間の間隔とほぼ同じ程度の長さのものが使用される。
【００３７】
物品収容ポケットは、従来、テーブルの収納位置よりも下方に設けられるが、物品収容ポケット内に任意の物品を収容した場合、足置きスペースがその分狭くなる。しかしながら、本実施形態によれば、テーブル２０の収納時の位置と同じ高さで設けられているため、従来よりも足置きスペースが広くなる。
【００３８】
次に、本実施形態の作用を説明する。テーブル２０の収納時においては、図３（ａ）及び図４（ａ）に示したように、テーブル２０はサイドレール１０，１０のレール溝１１に沿った状態、すなわち、シートバック部１１０の面と略平行な姿勢となっている。この状態では、図７（ａ），（ｂ）に示したように、テーブル２０の上部２１に設けた突出縁部２１ｂが押圧部材１５の上端部１５ｂに当接し、該押圧部材１５の上端部１５ｂにより、常にシートバック部１１０から離間する方向に該テーブル２０の上部２１が押圧されている。これにより、上記のように、テーブル２０の収納姿勢において下部が開いてばたついたりすることが防止される。また、図４（ａ）に示したように、テーブル２０の内側に位置する帯状部材４０とシートバック部１１０との間が間隙が形成されているため、その間隙に、図３（ａ）に示したように、雑誌等の物品を収納できる。なお、物品の下端は、下部フレーム１３に形成した支持溝１３ａ（図５参照）に位置して支持される。
【００３９】
テーブル２０を使用する場合には、図２の左側（通路側）座席で示したように、テーブル２０の下部を使用者が手前に引く。それにより、まず、突出縁部２１ｂが下方に回動するため、押圧部材１５の上端部１５ｂの円弧状の先端縁よりも下方に移動し、押圧部材１５による押圧力が解除される（図１１（ａ）参照）。この状態でも、テーブル２０は、コイルスプリング３２の弾性力により収納姿勢に復帰するように付勢されているため、使用者はその力に抗する力を付与して、図８に示したように、テーブル２０の下部を手前に引いていく（図８の矢印Ａ方向）。すると、走行部材１２は、ガイド溝部１１ｇ内に沿ってローラ１２１が転動しつつ、係合片１２２が、図９（ａ）に示したように、幅細部の両側の２つの長辺が走行部１１ａの内面に沿う姿勢となって、下降していく。テーブル２０は、図８に示したように、徐々に水平姿勢となるように変位していくが、それに伴って、一対のアーム３０，３０も使用者側に傾倒していく。
【００４０】
走行部材１２は、係合片１２２がレール溝１１の走行部１１ａから方向転換部１１ｂに至ると、上記のようにストッパ１１ｄに接触し（図９（ｂ）参照）、若干図の右方に傾斜する姿勢となり、その後、走行部材１２の係合片１２２は、コイルスプリング３２の弾性力によって常に上昇方向に付勢されているため、図９（ｃ）に示したように、上側に位置する切り欠き溝１２２ａが段差部１１ｃに引っかかりロックされる。これにより、図２の右側（窓側）座席、図３（ｂ）及び図４（ｂ）に示したように、テーブル２０は略水平姿勢となり、その上に飲料カップ等を載置できる。すなわち、テーブル２０は、収納姿勢において使用者に対向している面が、図８に示したように変位することで、そのまま飲料カップ等が載置される使用面（図２のＡ面）となる。
【００４１】
このように、本実施形態によれば、テーブル２０が下方から上方に回動するものでありながら、テーブル２０の上部２１が下方に移動しながら開くものであるため、収納状態においてテーブル２０の位置が従来よりも高い位置であっても、使用時には、丁度よい高さとなる。
【００４２】
テーブル２０を収容する場合には、使用者は、テーブル２０の手前側（収納姿勢で下部に相当）を若干上方に持ち上げる。すると、走行部材１２の係合片１２２は、図９（ｄ）に示したように、方向転換部１１ｂ内に下降する。使用者はそのまま手を離すか、あるいは、軽く手を支えるようにしていると、コイルスプリング３２の弾性力により、走行部材１２は上昇しようとする。方向転換部１１ｂから上昇する際、図９（ｅ）に示したように、係合片１２２の長辺が段差部１１ｃに当接するため、係合片１２２は突出軸２１ａ回りで回転し、走行部１１ａ内に侵入する際には、図９（ｆ）に示したように、再び幅細部の両側に位置する２つの長辺が走行部１１ａの内面に沿う姿勢となり、そのまま上昇していく。
【００４３】
走行部材１２が上昇していくと、テーブル２０は、下部がシートバック部１１０に接近する方向（図８の矢印Ｂ方向）に回動し、収納姿勢に復帰していく。そして、最終点に至るとコイルスプリング３２の弾性力により、上部２１に設けられた突出縁部２１ｂが押圧部材１５の上端部１５ｂの円弧状の先端縁に対面する図７（ａ），（ｂ）の状態になるまで復帰する。
【００４４】
このように略水平姿勢から収納姿勢に復帰するまでの間、すなわち、図１２の矢印Ｂ方向にテーブル２０が変位していく間、テーブル２０の上縁部２２が帯状部材４０の下端縁４２から上端縁４１に向かって接触しながら変位する。これにより、コイルスプリング３２の弾性力による復帰動作が帯状部材４０と上縁部２２との間の摩擦力により緩和され、急激な復帰に伴って手指がテーブル２０とサイドレール１０との隙間やテーブル２０とアーム３０との隙間に挟まれることを抑制できる。本実施形態では、下端縁４１はほぼ直線状になっており、上端縁４２は略中央部が手前側に膨出している。従って、テーブル２０が略水平姿勢から復帰動作を始めた当初は、テーブル２０の上縁部２２が帯状部材４０の下端縁４２に接触せずにスムーズに動くが、上端縁４１に近づくほど接触面積が増すため、復帰動作は徐々に減衰されることになる。
【００４５】
また、揺れや衝撃等により乗物に前後に大きな加速度がかかり、使用者の頭部がテーブル２０に接触する場合がある。航空機などでこのような衝撃が加わる可能性ある場合、各乗客はテーブル２０を予め収納位置にセットしている。従って、所定以上の衝撃があって人の頭部が前方に急に移動した場合、図１１（ｂ）に示したように、テーブル２０の上部２１付近に頭部が当接する。頭部が当接すると、テーブル２０の突出縁部２１ｂが押圧部材１５の上端部１５ｂから離脱するため、テーブル２０は上部２１が下降するように逃げる。これにより、頭部２０の受ける衝撃力が緩和される。また、テーブル２０には、コイルスプリング３２により収納方向に付勢されているため、その弾性力によっても頭部の受ける衝撃力が緩和される。
【００４６】
また、使用者の頭部が、衝撃により斜め方向に動き、サイドレール１０に衝突した場合、本実施形態では、サイドレール１０が固定されているのはねじ１０ｃの部分のみであるため、サイドレール１０は、係合突起１０ｄ，１０ｅが壊れてバックフレーム１１１の被係合部１１１ａ，１１１ｂとの係合が解除され、図１０（ａ），（ｂ）に示したように、ねじ１０ｃを中心として外方に回動することになる（図１０（ａ），（ｂ）の実線から破線で示したように変形する）。よって、この係合突起１０ｄ，１０ｅが壊れることによりエネルギー吸収がなされつつ、サイドレール１０が外方に回動することで頭部の受ける衝撃力が緩和される。
【００４７】
一方、例えば、図２の通路側の着座者の頭部が、衝撃により窓側の着座者が使用するテーブル２０側に急に動いた場合、その頭部は、窓側の着座者が使用するテーブル２０を支持する通路側に配置されたサイドレール１０に衝突する。その際には、図１０（ｃ）に示したように、サイドレール１０の上部がねじ１０ｃを中心として内方に移動するため、実線から破線で示したように変形し、頭部の受ける衝撃力を緩和する。
【００４８】
なお、上記実施形態ではテーブル装置１を構成するサイドレール１０、テーブル２０等を前席のシートバック部１１０に取り付けた場合を例にとって説明しているが、乗物の最前列の座席等において、着座者前方の壁面にテーブルが設けられる場合にも同様のテーブル装置１を取り付けられることはもちろんである。
【符号の説明】
【００４９】
１  テーブル装置
１０  サイドレール
１１  レール溝
１１ａ  走行部
１１ｂ  方向転換部
１１ｃ  段差部
１１ｄ  ストッパ
１１ｇ  ガイド溝部
１２  走行部材
１２１  ローラ
１２２  係合片
１２２ａ  切り欠き溝
１３  下部フレーム
１５  押圧部材
２０  テーブル
２１  上部
３０  アーム
４０  帯状部材
１００  シート
１１０  シートバック部
【図１】
2013224049.tif 000003
【図２】
2013224049.tif 000004
【図３】
2013224049.tif 000005
【図４】
2013224049.tif 000006
【図５】
2013224049.tif 000007
【図６】
2013224049.tif 000008
【図７】
2013224049.tif 000009
【図８】
2013224049.tif 000010
【図９】
2013224049.tif 000011
【図１０】
2013224049.tif 000012
【図１１】
2013224049.tif 000013
【図１２】
2013224049.tif 000014
【図１３】
2013224049.tif 000015